(57)【要約】【課題】  サンプルホールドのタイミングに関わらず、縦スジの発生を抑制でき、歩留りが向上した液晶駆動回路を提供する。【解決手段】  本発明の液晶駆動回路２は、表示部３へビデオ信号を出力する液晶駆動用ＩＣ４を備えた液晶駆動回路２において、ビデオ信号に対して、ビデオ信号に生じるリップルの周期よりも小さい周期を有するノイズを重畳するノイズ重畳回路２５が配設されている。【選択図】  図１
2006267718.tif 000002
【特許請求の範囲】
【請求項１】
表示手段へ映像信号を出力する集積回路を備えた液晶駆動回路において、
上記映像信号に対して、該映像信号に生じるリップルの周期よりも小さい周期を有するノイズを重畳するノイズ重畳手段が配設されていること特徴とする液晶駆動回路。
【請求項２】
上記集積回路は、電圧制御発振器を有するＰＬＬ回路を備えており、該電圧制御発振器からの原発振出力が上記ノイズ重畳手段に入力されていることを特徴とする請求項１に記載の液晶駆動回路。
【請求項３】
上記ノイズ重畳手段にて映像信号に重畳されるノイズの振幅は約２．５ｍＶであることを特徴とする請求項１または２に記載の液晶駆動回路。
【請求項４】
上記ノイズ重畳手段にて映像信号に重畳されるノイズの周波数が、少なくとも１水平期間毎に互いに異なるようになっていることを特徴とする請求項１ないし３のいずれか１項に記載の液晶駆動回路。
【請求項５】
上記ノイズ重畳手段にて映像信号に重畳されるノイズの振幅が、少なくとも１水平期間毎に互いに異なるようになっていることを特徴とする請求項１ないし３のいずれか１項に記載の液晶駆動回路。
【請求項６】
請求項１ないし５のいずれか１項に記載の液晶駆動回路を備えていることを特徴とする液晶表示装置。
【発明の詳細な説明】
【技術分野】
【０００１】
本発明は、アクティブマトリクス型等の液晶駆動回路および液晶表示装置に関するものである。
【背景技術】
【０００２】
近年、薄膜トランジスタ（ＴＦＴ）等を用いたアクティブマトリックス型の画像表示装置（液晶表示装置）が、高画質な表示装置として注目されている。
【０００３】
図７は、従来の画像表示装置の概略図である。ここで、まず、図７を参照して、アクティブマトリックス型の画像表示装置について説明する。
【０００４】
該画像表示装置は、図７に示すように、マトリックス状に配された複数の画素５１…を有する表示パネル５２、表示パネル５２のソース・バスラインＳＬ…を駆動するソースドライバー５３、表示パネル５２のゲート・バスラインＧＬ…を駆動するゲートドライバー５４、およびソースドライバー５３・ゲートドライバー５４へ駆動信号を供給する駆動回路（液晶駆動回路）５５を備えている。
【０００５】
表示パネル５２には、複数のソース・バスラインＳＬ…と、これらソース・バスラインＳＬ…に交差する複数のゲート・バスラインＧＬ…とが設けられており、これら各ソース・バスラインＳＬ…と各ゲート・バスラインＧＬ…との交差部に各画素５１…が配設されている。
【０００６】
駆動回路５５は、ソースドライバー５３およびゲートドライバー５４の動作を制御するための各種の駆動信号を生成する回路である。駆動信号としては、ゲート・ソースクロック信号ＧＣＫ・ＳＣＫ、およびゲート・ソーススタートパルスＧＳＰ・ＳＳＰ等が挙げられる。
【０００７】
ゲートドライバー５４は、シフトレジスタを有している。該シフトレジスタにゲートスタートパルスＧＳＰが入力されると、ゲート信号がゲートクロック信号ＧＣＫの各タイミングで、複数のゲート・バスラインＧＬ…へ順次出力される。
【０００８】
ソースドライバー５３は、シフトレジスタ５６とサンプリング回路５７とを有している。シフトレジスタ５６にソーススタートパルスＳＳＰが入力されると、ソース・バスライン選択信号がソースクロック信号ＳＣＫの各タイミングで順次サンプリング回路５７へ出力される。サンプリング回路５７の図示しないスイッチがＯＮされ、ＶＩＤＥＯ信号線の映像信号ＶＩＤＥＯがサンプルホールドされ、ソース・バスラインＳＬ…へ順次出力される。
【０００９】
しかしながら、映像信号ＶＩＤＥＯをサンプルホールドしてソース・バスラインＳＬ…に書き込む（印加する）際に、ソースクロック信号ＳＣＫの周期と同周期で、元の映像信号ＶＩＤＥＯにリップル（ＶＩＤＥＯ信号電圧の引き込み）が生じる。以下、リップルの周期をＲＳＣＫと称する。
【００１０】
すなわち、映像信号ＶＩＤＥＯには、図８に示すように、周期的にリップルが乗っている状態となる。具体的には、同図に示すように、映像信号ＶＩＤＥＯにおいて、ＶＩＤＥＯ電圧が低くなる部分が生じる。なお、同図において、縦軸はＶＩＤＥＯ電圧を表しており、横軸は時間を表している。
【００１１】
このため、例えばソース・バスラインＳＬＡのように、常にリップルの影響のない部分でサンプルホールドできれば問題は起きないが、ソースドライバー５３の特性のばらつきなどにより、サンプルホールドのタイミングがずれて、ソース・バスラインＳＬＢのように、リップルが生じている部分でサンプルホールドしてしまうことがある。
【００１２】
リップルが生じている部分でサンプルホールドしてしまうと、リップルが生じていない部分でサンプルホールドした場合に比べて、サンプルホールドのレベルに差が生じる。特に、ＣＧＳやＰ−Ｓｉパネルのような、ガラス上にドライバをモノリシック化するものは、外付けドライバのときよりもトランジスタの特性がばらつく。トランジスタの特性がばらつくと、ソース・バスライン毎にサンプルホールドのタイミングがばらつく。
【００１３】
サンプルホールドのタイミングがばらつくと、上記したように、サンプルホールドのレベルに差が生じる。このサンプルホールドのレベルの差は、液晶のＶ−Ｔ曲線を介して、表示上の階調差として表れる、という問題を生じる。
【００１４】
どのタイミングでサンプルホールドしても同じレベルをサンプルホールドできるリップルのない均一なＶＩＤＥＯ信号を使用するか、あるいは、位相調整により全てのソース・バスラインでリップルにおけるサンプルホールドを回避できれば、問題は生じない。また、サンプルホールドがリップル部にかかってしまう、すなわち、リップルが生じている部分でサンプルホールドした場合でも、通常の映像データの場合や、あるいは、Ｖ−Ｔ曲線の傾きが、急峻でない白や黒に近い領域の映像データの場合では、リップルの影響が目立ちにくい。
【００１５】
しかしながら、ベタ表示のような画面全体で均一な階調の映像データで、且つ、グレー等のＶ−Ｔ曲線の傾きが急峻な領域の映像データの場合は、状況が異なる。この場合、位相調整のマージンを超えて、どうしてもリップルにかかってしまうサンプルホールドが残る。このように、リップルにてサンプルホールドしてしまう。
【００１６】
リップルにてサンプルホールドすると、他のソース・バスラインが同じレベルでサンプリング（サンプルホールド）できているのに対し、異なるレベルでサンプルホールドした部分（リップルにてサンプルホールドした部分）だけが、異なる階調で目立ってしまう。１Ｈ期間で見れば、表示上１行の間に１点だけ階調が異なる様に見えるだけだが、各ゲート・バスライン行で同じことが、同じソース・バスラインで生じれば、縦スジとして表示画面に発現する（現れる）。
【００１７】
具体的には、図８に示すように、ソース・バスラインＳＬＢ上の全ての画素５１…の階調がＳＨＢ０となり、ソース・バスラインＳＬＡ上の画素５１…の階調であるＳＨＡ０と比較して階調差が生じる。このため、図９に示すように、ソース・バスラインＳＬＢにおいて、表示パネル５２に縦スジが生じる。
【００１８】
また、ソース・バスラインＳＬＢ以外の全ての画素５１…の階調がＳＨＡ０で均一になっているため、ＳＨＢ０の僅かなＳＨＡ０との階調差も目立ちやすくなってしまい、上記縦スジが鮮明になってしまうという問題がある。このため、実映像上ではほぼ問題のない表示パネル５２も不良と判断され、歩留りに悪影響を及ぼす。
【００１９】
かかる問題を解決するために、特許文献１では、制御回路（駆動回路）において、ソースクロック信号ＳＣＫに対して周期が同じでかつデューティ比が小さいクロックを生成することにより映像信号ＶＩＤＥＯを完全ノンオーバーラップサンプリングにてサンプリングすることにより、縦スジを抑制する液晶表示装置が開示されている。
【特許文献１】特開２００２−７２９８７号公報（公開日  平成１４年３月１２日）
【発明の開示】
【発明が解決しようとする課題】
【００２０】
しかしながら、上記特許文献１では、駆動回路においてクロック信号に対して周期が同じでかつデューティ比が小さいクロックを生成する必要があり、回路構成が複雑になるという問題があった。
【００２１】
本発明は、上記問題点に鑑みてなされたものであり、その目的は、簡易な構成で、サンプルホールドのタイミングに関わらず、縦スジの発生を抑制でき、かつ、歩留りが向上させることができる液晶駆動回路を提供することにある。
【課題を解決するための手段】
【００２２】
本発明の液晶駆動回路は、表示手段へ映像信号を出力する集積回路を備えた液晶駆動回路において、上記映像信号に対して、該映像信号に生じるリップルの周期よりも小さい周期を有するノイズを重畳するノイズ重畳手段が配設されていることを特徴としている。
【００２３】
上述した通り、ビデオ信号には、周期的なリップルが乗っており、ビデオ信号の電圧に差が生じており、この電圧差によって、階調に差が生じる。
【００２４】
ここで、リップルとは、映像信号を表示手段に書き込むスイッチングの際に生じる映像信号電圧の引き込みによって生じる映像信号電圧の低くなる部分をいう。
【００２５】
常に、映像信号におけるリップルが乗っていない部分でサンプルホールドできればよいが、サンプルホールドのタイミングがずれて、リップルの乗っている部分でサンプルホールドしてしまうと、リップルに基づく階調差によって、表示手段へ表示するときに、縦スジが生じてしまうという問題が生じる。
【００２６】
これに対して、上記の構成によれば、映像信号に、リップルの周期よりも周期の小さいノイズが重畳される。
【００２７】
従って、仮に、リップルが乗っている部分でサンプルホールドしても、重畳させるノイズの周期がリップルの周期よりも小さいため、リップルに基づく階調差がノイズに埋もれる形で目立ちにくくなるため、縦スジの発生を抑制することができる。
【００２８】
このように、単に映像信号にノイズを重畳させるという簡易な構成で、サンプルホールドのタイミングに関わらず、この縦スジの発生の抑制でき、かつ、歩留りを向上させることができる液晶駆動回路を提供することができる。
【００２９】
また、本発明の液晶駆動回路では、上記集積回路は、分周器と電圧制御発振器とを有するＰＬＬ回路を備えており、該電圧制御発振器からの原発振出力が上記ノイズ重畳手段に入力されていることが好ましい。
【００３０】
ＰＬＬ回路では、電圧制御発振器からの原発振出力は、分周器によって分周される前の出力なので、高い周波数を有している。上記構成によれば、この高い周波数を有する原発振出力がノイズ重畳手段にされる。従って、ノイズ重畳回路において、周波数の高い、すなわち周期の小さい、ノイズを容易に重畳させることができる。
【００３１】
また、本発明の液晶駆動回路では、上記ノイズ重畳手段にて映像信号に重畳されるノイズの振幅は約２．５ｍＶであることが好ましい。
【００３２】
映像信号にノイズを重畳させた場合、重畳させるノイズの振幅が大きすぎると、表示手段に表示する際に問題が生じる一方、重畳させるノイズの振幅が小さすぎると、リップルに基づく階調差がノイズに埋もれないので無意味となる。
【００３３】
これに対して、上記構成によれば、ノイズの振幅が約２．５ｍＶであるので、ノイズの振幅が大きすぎず、かつ、小さすぎず、リップルに基づく階調差がノイズに埋もれる適度な振幅となる。
【００３４】
また、本発明の液晶駆動回路では、上記ノイズ重畳手段にて映像信号に重畳されるノイズの周波数が、少なくとも１水平期間毎に互いに異なるようになっていることが好ましい。
【００３５】
また、本発明の液晶駆動回路では、上記ノイズ重畳手段にて映像信号に重畳されるノイズの振幅が、少なくとも１水平期間毎に互いに異なるようになっていることが好ましい。上記構成によれば、少なくとも１水平期間毎に、映像信号に対して互いに周波数または振幅が異なるノイズが重畳される。
【００３６】
従って、たとえ、ある水平期間においてリップルの乗っている部分でサンプルホールドしても、その水平期間と隣り合う水平期間ではビデオ信号の階調が異なっているため、従来生じていたラインレベルの階調差から画素レベルの階調差にすることができ、縦スジとしては見えなくなる。
【００３７】
また、本発明の液晶表示装置では、上記したいずれかの液晶駆動回路を備えていることが好ましい。
【発明の効果】
【００３８】
本発明の液晶駆動回路は、以上のように、映像信号に対して、該映像信号に生じるリップルの周期よりも小さい周期を有するノイズを重畳するノイズ重畳手段が配設されている。従って、構成を複雑にすることなく、サンプルホールドのタイミングに関わらず、縦スジの発生を抑制でき、かつ、歩留りが向上させることができるという効果を奏する。
【発明を実施するための最良の形態】
【００３９】
本発明の実施の一形態について、図１ないし図５に基づいて説明すれば、以下の通りである。図２は、本実施の形態の液晶表示装置の概略構成を示すブロック図である。
【００４０】
本実施の形態の液晶表示装置（以下、「本装置」と称する）１は、図２に示すように、集積回路としての液晶駆動用ＩＣ４を有する液晶駆動回路２と、ソースドライバー５、ゲートドライバー６、および液晶表示パネル７を有する表示手段としての表示部３とを備えている。液晶駆動回路２と、表示部３とはフレキシブルプリント配線（FPC；Flexible Print Circuits）８によって接続されている。
【００４１】
液晶表示パネル７は、互いに平行するゲート・バスラインＧＬ…および互いに平行するソース・バスラインＳＬ…と、マトリクス状に配置された画素９…とを有している。画素９…は、隣接する２本のゲート・バスラインＧＬ・ＧＬと隣接する２本のソース・バスラインＳＬ・ＳＬとで包囲された領域に形成される。
【００４２】
なお、上記液晶表示パネル７は特に限定されないが、例えば、ＣＧＳ−ＴＦＴ液晶（Continuous Grain Silicon-Thin film transistor）パネルなどでもよい。ここでＣＧＳ−ＴＦＴ液晶パネルとは、ＣＧＳ技術を用いてガラス基板上にドライバを形成したモノリシック化した液晶パネルをいう。このＣＧＳ−ＴＦＴ液晶パネルは、ドライバＩＣを実装する必要がない。
【００４３】
図３（ａ）は、ゲートドライバー６の概略構成を示すブロック図である。ゲートドライバー６は、図３（ａ）に示すように、複数のフリップフロップ回路（同図において「ＳＲ」で示す）１０…を有するシフトレジスタ１１を備えている。該シフトレジスタ１１には、液晶駆動回路２からゲートクロック信号ＧＣＫ、およびゲートスタートパルスＧＳＰが入力される。該シフトレジスタ１１は、ゲートスタートパルスＧＳＰが入力されると、ゲート信号がゲートクロック信号ＧＣＫのタイミングで、複数のゲート・バスラインＧＬ…に順次出力される。
【００４４】
図３（ｂ）は、ソースドライバー５の概略構成を示すブロック図である。ソースドライバー５は、図３（ｂ）に示すように、複数のフリップフロップ回路（同図において「ＳＲ」で示す）１２…を有するシフトレジスタ１３と、複数のアナログ回路（サンプリング回路）１４…を有するサンプリング部１５とを備えている。
【００４５】
液晶駆動回路２からシフトレジスタ１３へは、ソースクロック信号ＳＣＫ、およびソーススタートパルスＳＳＰが入力される一方、液晶駆動回路２からサンプリング部１５へは、映像信号としてのビデオ入力信号ＶＩＤＥＯ（以下、単に「ビデオ信号」と称する）が入力される。なお、図２に示すＶＲ、ＶＧ、ＶＢがビデオ信号に相当する。
【００４６】
シフトレジスタ１３にソーススタートパルスＳＳＰが入力されると、ソース・バスライン選択信号Ｘ…がソースクロック信号ＳＣＫのタイミングで順次、各フリップフロップ回路１２…からサンプリング部１５へ出力される。
【００４７】
サンプリング部１５のアナログ回路１４…のスイッチがＯＮされ、ビデオ信号がサンプルホールドされ、ソース・バスラインＳＬ…へ順次出力される。
【００４８】
図３（ｃ）は、図３（ｂ）に示すアナログ回路１４の説明図である。アナログ回路１４は、図３（ｃ）に示すように、Ｎチャネル（Ｎｃｈ−）トランジスタ３２およびＰチャネル（Ｐｃｈ−）トランジスタ３３にて形成されており、フリップフロップ回路１２…からの信号Ｘによって、ＯＮ・ＯＦＦを切り替えるスイッチである。このスイッチがＯＮされたとき、ビデオ信号がソース・バスラインＳＬ…へ出力される。なお、同図において、ビデオ信号の入力端を「ＶＩＤＥＯ」にて示す。
【００４９】
上述した通り、上記液晶駆動回路２は、内部に液晶駆動用ＩＣ４をおり、該液晶駆動用ＩＣ４が、ソースドライバー５およびゲートドライバー６の動作を制御するための各種の制御信号を生成している。この制御信号は、ゲート・ソースクロック信号ＧＣＫ・ＳＣＫ、ゲート・ソーススタートパルスＧＳＰ・ＳＳＰ、およびビデオ信号等である。
【００５０】
図４は、液晶駆動用ＩＣ４にノイズ重畳手段としてのノイズ重畳回路２５を接続したブロック図である。液晶駆動用ＩＣ４は、図４に示すように、ビデオ信号を液晶表示パネル７（図２）の駆動に適した信号に変換するユニットであるビデオインターフェイス部（以下、「ＩＦ部」と称する）１６と、ゲート・ソースクロック信号ＧＣＫ・ＳＣＫなど液晶表示パネル７用の各種タイミング信号（制御信号）を生成するユニットであるタイミングジェネレーション部（以下、「ＴＧ部」と称する）１７とを備えている。
【００５１】
すなわち、液晶駆動用ＩＣ４は、ＩＦ部１６とＴＧ部１７とでワンパッケージを構成している。また、該ＩＦ部１６とＴＧ部１７とでＰＬＬ（Phase Locked Loop）回路３１を構成している。
【００５２】
上記ＩＦ部１６は、電圧制御発振器（以下、「ＶＣＯ」と称する；Voltage Controlled Oscillator）１８と、ローパスフィルタ（以下、「ＬＰＦ」と称する；Low Pass Filter）１９とを備えている。ＶＣＯ１８は、入力電圧によって出力（発振）周波数をコントロールする。ＬＰＦ１９は、後述する位相比較器２１の離散的な出力を平均化する。
【００５３】
上記ＴＧ部１７は、分周器（Divider）２０と、位相比較器（Phase Detector）２１とを備えている。分周器２０は、上記ＶＣＯ１８からの周波数を分周する。例えば、分周器２０がＮ分周器（ｎ＝１０）である場合には、分周器２０への入力が１０ＭＨｚであれば、出力は１ＭＨｚとなる。
【００５４】
位相比較器２１は、基準となる発信信号（基準周波数信号；ＣＳＹＮＣ）と、分周器２０の出力信号との位相差を比較して、その位相差に比例した電圧または電流を出力する。
【００５５】
次に、上記液晶駆動用ＩＣ４の動作について説明する。まず、外部から水晶振動子などの基準となる発信信号（基準周波数信号；ＣＳＹＮＣ）が、位相比較器２１へ入力される。位相比較器２１は、このＣＳＹＮＣと、分周器２０で分周された信号とで位相比較を行なう。
【００５６】
次に、上記ＣＳＹＮＣと、分周器で分周された信号との位相比較後の差異信号のＤＣ成分がＬＰＦ１９を介してＶＣＯ１８に入力される。
【００５７】
上記ＶＣＯ１８は、このＤＣ成分に基づいて、高周波の原発振出力（約十数ＭＨｚ）を出力する。この原発振出力は、分周器２０で分周され、再び位相比較器２１に入力される。位相比較器２１で、分周器２０で分周された信号と、ＣＳＹＮＣとで位相比較される。以下、同様に、この一連の動作が繰り返される。これにより、ＶＣＯ１８は、安定した原発振出力を分周器２０に提供することができる。
【００５８】
ところで、液晶駆動用ＩＣ４は、ＶＣＯ１８から出力される原発振出力を外部に取り出すＶＣＯ端子２２と、後述する第１出力端子２８と第２出力端子２９とを切り替えるＦＲＰ端子２３と、ビデオ信号を外部に取り出すＶＩＤＥＯ端子２４とを有している。なお、本実施の形態では、ＦＲＰは、後述するように、１水平期間毎（以下、「１Ｈ毎」と称する）に極性が反転する信号である。
【００５９】
本実施の形態では、特に、液晶駆動回路２（図２）は、上記原発振出力が入力される、つまり上記ＶＣＯ端子２２と接続されたノイズ重畳回路２５を液晶駆動用ＩＣ４の外部に有している。すなわち、本実施の形態では、液晶駆動用ＩＣ４内で最も高周波となるＶＣＯ１８からの原発振出力をノイズ重畳回路２５に入力している。
【００６０】
上記ＶＣＯ端子２２から取り出された原発振出力が、ノイズ重畳回路２５に入力され、このノイズ重畳回路２５にて、原発振出力にノイズが重畳される。このノイズが重畳された原発振出力が、ＶＩＤＥＯ端子２４から取り出されたＶＩＤＥＯ信号に重畳され、ノイズ重畳出力として表示部３へ送られる。
【００６１】
図１は、ノイズ重畳回路２５の回路構成を示す説明図である。ノイズ重畳回路２５は、図１に示すように、コンデンサＣ１、抵抗Ｒ１、および抵抗Ｒ１’を備えた第１ハイパスフィルタ（以下、「第１ＨＰＦ」と称する）２６と、コンデンサＣ２、抵抗Ｒ２、および抵抗Ｒ２’を備えた第２ハイパスフィルタ（以下、「第２ＨＰＦ」と称する）２７と、第１ＨＰＦ２６を通過した信号を出力する第１出力端子２８と、第２ＨＰＦを通過した信号を出力する第２出力端子２９と、スイッチ（ＳＷ）３０とを有している。
【００６２】
第１ＨＰＦ２６のコンデンサＣ１は、抵抗Ｒ１を介してグラウンドされている一方、第２ＨＰＦ２７のコンデンサＣ２は、抵抗Ｒ２を介してグラウンドされている。また、第１ＨＰＦ２６のコンデンサＣ１は、抵抗Ｒ１’を介して第１出力端子２８に接続されている一方、第２ＨＰＦ２７のコンデンサＣ２は、抵抗Ｒ２’を介して第２出力端子２９に接続されている。
【００６３】
上記第１出力端子２８または第２出力端子２９のいずれか一方が、ＳＷ３０と接続されることにより、第１ＨＰＦ２６または第２ＨＰＦ２７をいずれか一方を通過したノイズが、ビデオ信号に重畳され、ノイズ重畳信号として、表示部３のサンプリング部１５（図３（ｂ））へ出力される。
【００６４】
上述したように、サンプリング部１５に接続されているビデオ信号にはサンプルホールドされたビデオ信号をソース・バスラインＳＬ…に印加するスイッチングの際にリップルが生じる。従来、このリップルによって、ビデオ信号に電圧差が生じ、結果として電圧差が階調差に影響を及ぼし、液晶表示パネル７に縦スジが生じていた。
【００６５】
これに対して、ノイズ重畳回路２５は、第１ＨＰＦまたは第２ＨＰＦの遮断周波数特性（low cut）によって、原発振出力のうちビデオ信号に生じるリップルの周期ＲＳＣＫに同期する周波数成分よりも低い周波数成分と、ビデオ信号に影響を及ぼすＤＣ成分（遮断周波数成分）とをカットする役割を有している。ＳＣＫに同期する周波数成分よりも低い周波数成分をカットすることにより、ビデオ信号にＳＣＫよりも充分大きな周波数を重畳させることができる。すなわち、ビデオ信号にＳＣＫよりも小さい周期のノイズを重畳させることができる。
【００６６】
また、ビデオ信号に影響を及ぼすＤＣ成分は、具体的には、重畳するノイズの振幅を調整することによりカットすることができる。
【００６７】
具体的には、Ｃ１×Ｒ１、Ｃ２×Ｒ２（遮断周波数特性）を調整することにより、ＳＣＫに同期する周波数を遮断（カット）することができる。また、Ｒ１’、Ｒ２’を調整することにより、ノイズの振幅の大部分を調整することができる。遮断周波数特性によってＤＣ成分を含む低い周波数成分をカットすることができる。
【００６８】
さらに、Ｃ１×Ｒ１≠Ｃ２×Ｒ２またはＲ１’≠Ｒ２’となっている。すなわち、第１ＨＰＦ２６と第２ＨＰＦ２７とにおいて、遮断周波数特性または振幅が互いに異なっている。なお、Ｃ１×Ｒ１≠Ｃ２×Ｒ２およびＲ１’≠Ｒ２’としてもよい。
【００６９】
上記ＦＲＰ端子２３は、隣り合う１Ｈ毎に極性を反転させることによって、ＳＷ３０と、第１ＨＰＦ２６の出力端である第１出力端子２８、または、第２ＨＰＦの出力端である第２出力端子２９の接続を切り替えている。これによって、ビデオ信号に対して、１Ｈ毎に異なるノイズを重畳させることができる。従って、１Ｈ毎に互いに異なる（遮断）周波数のノイズを重畳させることができる一方、１Ｈ毎に互いに異なる振幅のノイズを重畳させることができる。
【００７０】
例えば、液晶表示パネル７のゲート・バスラインＧＬ…の奇数行では第１出力端子２８を用いる一方、ゲート・バスラインＧＬ…偶数行では第２出力端子を用いる。この場合、上記奇数行には第１出力端子２８のノイズが重畳される一方、偶数行には第２出力端子２９のノイズが重畳される。
【００７１】
図５は、これらのノイズが重畳したビデオ信号を示している。なお、同図では、縦軸にＶＩＤＥＯ電圧を表す一方、横軸に時間を表している。同図において、第１出力端子を用いたビデオ信号を実線（波形Ｋ）で表す一方、第２出力端子を用いたビデオ信号を破線（波形Ｌ）で表している。また、一点鎖線にて、ノイズを重畳させる前の従来のビデオ信号を表している。
【００７２】
従来、他のサンプルホールドが均一なレベルである一方、縦スジを生じるサンプルホールドだけがレベルが異なっていた。
【００７３】
これに対して、本発明では、縦スジを生じていたソース・バスラインＳＬＢの階調が、１Ｈ毎に、ＳＨＢ１とＳＨＢ２とにばらつくため、縦スジとしては見えなくなる。さらに、従来、縦スジを生じていなかったソース・バスラインＳＬＡの階調もＳＨ１とＳＨ２とにばらつくため、ソース・バスラインＳＬＡとソース・バスラインＳＬＢとの階調差も目立ちにくくなる。
【００７４】
図６は、ノイズを重畳させた場合の液晶表示パネル７の表示について、縦スジラインの階調に着目した模式図である。より具体的には、１Ｈ毎に階調がばらつくため、図６に示すように、液晶表示パネル７において従来生じていた縦スジのラインが１Ｈ毎に分断される。すなわち、本実施の形態では、１Ｈ毎に階調差が発生するように状況を変化させ、従来、ライン（列）で揃っていた階調が、画素９…レベルの階調のばらつきとなる。その結果、サンプルホールドのタイミングがずれても、そのソース・バスラインＳＬ…と、他のソース・バスラインＳＬ…との間の階調差が従来よりも目立ちにくくなる。
【００７５】
なお、本実施の形態では、隣り合う１Ｈ毎に異なるノイズをビデオ信号に重畳させているが、これに限らずランダムにノイズを重畳させてもよい。例えば、ホワイトノイズのような、本来のランダムノイズを外部から入力してもよい。
【００７６】
また、本装置１および液晶駆動回路２は、特に、縦スジ以外の階調が均一で、ビデオ信号の電圧差が階調差に最も反映するため（ＶＩＤＥＯ電圧−時間のカーブの傾きが急なため）、検査等で用いる灰色中間調ベタで効果が大きい。
【００７７】
また、上記第１ＨＰＦの抵抗Ｒ１’と第２ＨＰＦの抵抗Ｒ２’とを調整することにより、ビデオ信号の振幅をビデオレベルに影響を及ぼさないものにすることができる。このとき、ノイズ振幅の下限は、液晶印加電圧で白黒の差が２．５Ｖの場合、人間の認識能力を考慮して、その１／１０００の２．５ｍＶ程度とするのが好ましい。
【００７８】
ビデオ信号の振幅が大きすぎると、ビデオ信号自体が大きく変わり、表示に問題が生じる一方、ビデオ信号の振幅が小さすぎると、輝度差として認識できないので、ノイズを重畳する意味がなくなる。従って、液晶パネル（白黒電圧仕様）によって異なるが、人間が認識限界の２．５ｍＶ程度が好ましい。
【００７９】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【００８０】
本発明の液晶駆動回路および液晶表示装置は、テレビ、パソコン、および携帯電話等に好適に利用することができる。
【図面の簡単な説明】
【００８１】
【図１】本発明の実施形態を示すものであり、ノイズ重畳回路の回路構成を示す概略図である。
【図２】本実施の形態の液晶表示装置の概略構成を示すブロック図である。
【図３】（ａ）は、図２に示すソースドライバーの概略構成を示すブロック図であり、（ｂ）は、同じくゲートドライバーの概略構成を示すブロック図であり、（ｃ）は、図３（ａ）に示すアナログ回路の説明図である。
【図４】液晶駆動用ＩＣにノイズ重畳回路を接続した概略構成を示すブロック図である。
【図５】出力１と出力２からのノイズを重畳したビデオ信号の電圧と時間との関係を示す波形図である。
【図６】ノイズを重畳させた場合の液晶表示パネル上の表示を示す模式図である。
【図７】従来の液晶表示装置を示す概略図である。
【図８】従来のビデオ信号の電圧と時間との関係を示す波形図である。
【図９】従来の液晶表示パネル上の表示を示す模式図である。
【符号の説明】
【００８２】
１        液晶表示装置
２        液晶駆動回路
３        表示部（表示手段）
４        液晶駆動用ＩＣ（集積回路）
１８      ＶＣＯ（電圧制御発振器）
２５      ノイズ重畳回路（ノイズ重畳手段）
３１      ＰＬＬ回路
ＲＳＣＫ  リップルの周期
【図１】
2006267718.tif 000003
【図２】
2006267718.tif 000004
【図３】
2006267718.tif 000005
【図４】
2006267718.tif 000006
【図５】
2006267718.tif 000007
【図６】
2006267718.tif 000008
【図７】
2006267718.tif 000009
【図８】
2006267718.tif 000010
【図９】
2006267718.tif 000011